(57)【特許請求の範囲】
【請求項１】
家具を設置する建物の主構造材である柱の家具の上端位置に化粧スクリュウボルトで水平に固定されるアルミニューム製アングル材と、前記アルミニューム製アングル材の長さを約３等分する２箇所にそれぞれ取り付けられて、自在に水平回動する帯板と、前記帯板の先端に回転自在に取り付けられて、自在に水平回動するとともにネジ釘にて家具の前面横桟に連結固定される連結片とからなることを特徴とする耐震性家具固定金物。
【発明の詳細な説明】
【技術分野】
【０００１】
家具は利用上の整理観点から主に壁面に据え付ける場合が多いので地震等が発生した場合には建物の主構造に固定をし、家具の倒壊を防止して災害時に其の災害を最小限に留めるためには家具を建物に堅固に固定を施し居住者に直接の転倒危害や避難時の障害を及ぼさないためにも据え付け家具の安全固定に対応する必要性が在る。
【０００２】
其のためには家具の上端の背面部の上桟にアルミアングルの接する一面にて数本のネジ釘にて締付け固定をして其のアングルの両端を壁面位置の両柱にスクリュウネジ釘にて固定をして家具の前面転倒を防止する。
【０００３】
家具の高さや横幅及び出巾は種々多様存在するために種々の出幅に対応可能とする目的で、家具の上端の背面部の上桟を固定をした同アングルより家具の上端の前面部の上桟迄に家具の上端に這わせたアルミの薄めの帯板を用いて上端の前桟にネジ釘にて固定をしてアングルより家具の前面部及び背面部の双方の上桟を堅固に固定をして家具の前面転倒を防止する。
【背景技術】
【０００４】
想定的に震度が４を超える様な地震が発生した場合に於いて固定していない家具は震度と共に転倒行為が発生して居住者に直接に危害を与えたり引き出しや収納品が跳びだしたりの現象が起きて避難障害を招く危険性も生じる。
【０００５】
耐震家具の固定構造及び金物は種々考案及び発明も提案されている、例えば文献１には背面壁の柱に直接に補強金物を採り付けているが柱の位置と家具の据え付ける場所が一致しない場合も想定する必要性も考慮すべきと考えられる。
【０００６】
其れと文献２の補強金物も家具を取り付ける背面の壁面が堅固な壁の場合は差し支えないとしても壁面の柱と柱との中間の間柱は主構造と異なり壁張り板の受下地を主体にした間柱であるために幅厚みが細く確認し難い場合も想定されるし、家具を据え付ける背面の壁が大壁仕上げの場合は壁下地を挟んで間柱と接するとしても真壁仕上げの場合は間柱と接する事は不可能と考えられる、其れに加えて家具の上端の天井板が丈夫な厚板にて製作してある場合は問題は無いと考えられるけれども通常家具の上端の天井部分は前面と背面及び両側面の４面外郭桟を組立てて上端並みに間隔的に中桟を敷いて其の上に合板を張る場合が多く用いられている、其の場合は文献の中の図２に明記されている図１に取り付けてある様な金物が全面的に使用されない場合も想定される。
【０００７】
文献４に記載のアングル型の金物を使用しているが其のアングルの両先端を柱に取付ける工法は同じとしても前記0006にも記載した様に背面の柱と柱との間の間柱は主構造で無いので幅厚みが細く確認し難く間柱を利用しなくてアングルの両先端を柱のみにて取り付け処理すべきである、尚アングルより上部上端の前桟迄アルミの薄板にて延してネジ釘にて固定をしているが家具の種々の出幅に対応するためにアングルから前桟迄をスライド的に設定すべきである。
【０００８】
上記に記載の家具の出幅に対応するスライド留め板金は文献1に記載されているが、其れは上部の前面の見え掛かりの部分に爪を露出状態なので外見上の問題として見え隠れの場所にて上端の前桟を後部のアングルより固定をする際に留める方法を設定考慮をする必要性が生じる。
【特許文献１】実開昭５７−１２０４９号公報
【特許文献２】特開平８−３０８６６０号公報
【特許文献３】特開平８−２４２９５９号公報
【特許文献４】登録実用新案第３１１２７９５号公報
【発明の開示】
【発明が解決しようとする課題】
【０００９】
前記0004より0008迄に寸例を記載している様に地震の際に家具の転倒防止を施す方法や工法及び構造は多種に及んでいるが外見的経済的工法的に発案をするためには家具を据え付ける背面の柱と柱にカラーアルミ製の十字付きの丸型頭の化粧アングルを家具の上端の背面部位に取付けて其のアングルより家具の背面部の上桟は直接にネジ釘にて固定留めして、前面部の上桟は其のアングルよりスライド性を持った薄板金を自在式に取り付けて家具の出幅に対応する。
【課題を解決するための手段】
【００１０】
家具を設置する後部の建物の主構造材である両面柱に家具の上端位置にアルミニューム製のアングルの両端を化粧スクリュウボルトにて固定をし、前記アルミニューム製のアングルの長さの約３等分する２箇所にそれぞれ取り付けられて、水平面内で自在に回動する苛締め金具にて帯板を取付け、前記帯板の先端に水平面内で自在に回動する苛締め金具にて連結片を取付け、前記連結片を家具の前面横桟の方向に合致せしめ数本のネジ釘にて取付け、設置家具を転倒行為から防御する。
【発明の効果】
【００１１】
本発案は地震発生の場合に震度４を超える様な際には屋内に据え付けた家具類が数回の揺れに対応をしきれなくなり転倒行為が発生して居住者に危害を与えたり引出しや収納品が跳びだしたり、更に其の上に家具其の物自体が転倒等し、避難の際の障害にもなり居住者に災害を及ぼさない目的にて、据え付けた家具を主構造両柱に見得掛りを損なう事無く十字付き化粧丸頭のスクリュウボルトにて化粧カラーアルミアングルを完全に堅固に固定して、其のアングルを用いて地震発生時に安全性を与える据付家具の固定構造であり、家具取付け部の背面壁が大壁仕上げの場合も真壁仕上げの場合も関係なく主構造である両面の柱に取付ける家具耐震固定構造金具。
【発明を実施するための最良の形態】
【００１２】
本発明の実施例に付いて図面と符号を参照しながら説明をする。
(数字記号の符号分は除外して説明)
図１は家具据え付け部分の背面壁が真壁仕上げの場合の例を上部から見た家具の上端に金物を取り付けた際の平面見取り図で、１は両面の柱で柱の間隔を180ｃｍ程度の例、２は真壁の部分で柱面よりも壁チリが15ｍｍの例、３は家具を据え付けた例で横幅120ｃｍ幅40ｃｍ例、4は化粧カラーアルミアングルの下部面が家具の上端の後横桟に接する部分、5は其のアングルの立ち上がりの部分で両面の柱に取付く部分、6は家具の上端の前横桟、7の点線内の部分は家具の後桟でアングルに接する部分、8は家具の両妻の上桟、9はアングルの両先端を柱に取り付ける際の十字丸頭のスクリュウボルト、10はアングルと家具の後桟を締付けるネジ釘、11はアルミ製の帯板で建具の出幅に応じて建具の前桟を締付ける場所を決める事の出来るスライド式の金物、12は其の11の金物をアングルに取り付ける自在式の丸型の苛締め金具、13は11の先端に自在式に取り付けて家具の前桟を締付けるためのアルミ板、14は13のアルミ板を11の先端に取り付ける際の自在式の丸型の苛締め金具、15は13の板金具にて家具の前桟を締付けるネジ釘。
図2はアルミアングルに建具の上端の後桟を締付ける際の前面から見た断面部分の説明図で、３ｂは家具の上部の部分、16は建具の両妻立桟。
図3は図1の家具の出幅40ｃｍ拡大説明断面図で、1ｂは両面の柱の外面、1ｃは真壁仕上げの場合の壁チリ、1ｄは真壁仕上げの場合のクロス貼りの際の下地ボード、1ｅは真壁仕上げの際の間柱、８ｂは家具の上部の天井板を張る際の受小桟、８ｃは家具の上端の天井板。
【図面の簡単な説明】
【００１３】
【図１】家具の据え付け部分の背面壁面の両柱に家具を取付けた場合を上部から見た際の平面見取り図。
【図２】上記の家具を取付ける際のアングルと家具上部の後横桟の締め付け状況図。
【図３】上記図１の家具の上部の部分の出幅部の断面詳細図。
【符号の説明】
【００１４】
１：家具を据付ける場合の壁面部の壁の両柱
１ｂ：補強アングルを取り付ける両面柱の外面部
１ｃ：壁面の仕上げが真壁の場合の壁チリ
１ｄ：壁面が真壁仕上げの場合の表面クロス仕上げの際の下地ボード
１ｅ：壁面が真壁仕上げの場合の間柱
２：壁面部が真壁仕上げの場合の壁体
３：壁面に据付ける際の家具
３ｂ：家具の上部の部分
４：補強アングルが家具の上端の後桟に接してネジ釘にて締付ける部分
５：補強アングルを両面の柱に取付けて締付ける立ち上がりの部分
６：家具の上端の前桟
７：家具の上端の後桟
８：家具の上端の両妻桟
８ｂ：家具の天井板を張る際の受小桟
８ｃ：家具の上端の天井板
９：補強アングルを両面柱に取付ける際のスクリュウボルト
10：上記4を家具の上端の後桟に締付ける際のネジ釘
11：補強アングルに2ヶ所ハの字型に取り付けて家具の出幅に調整してスライ
ド式に場所を決定をして家具の前桟を締付けるためのアルミ帯型の板
12：上記11の帯板をアングルに取り付ける際の自在式の丸型苛締め金具
13：上記11の帯板の先端に取付けて家具の前桟を固定するアルミ板
14：上記13の板を11に取付ける際の自在式の丸型苛締め金具
15：上記13の板を家具の前桟に締付けるネジ釘
16：家具の外周部の立桟
【要約】
【課題】
震度の高い地震に遭遇した場合に据付けた家具が数回の揺れに耐え切れなくて転倒行為を起動して居住者に直接に危害を与えたり引き出しや収納物が跳び出したり、其の上に家具自体が転倒して避難の障害を招く事態を防止するための据付家具の災害時対応の固定安置を促する目的の家具耐震転倒防止構造金具の提供。
【解決手段】
家具の据付ける壁面部が大壁式の仕上げの場合でも真壁式の仕上げの場合でも関係なく両面の柱にアルミのアングルを取付けてそのアングルに家具の上部の後桟をネジ釘数本にて締付け、其れに加えて其のアングルよりスライド性の自在式の帯板にて家具の出幅に適合調整をして前桟を固定締付けて家具の上端の前面及び後部の横桟を堅固に締付けて地震の際の家具の転倒を防御する耐震性家具の転倒防止構造金具。
【選択図】    図１【図１】
0004077498.tif 000002
【図２】
0004077498.tif 000003
【図３】
0004077498.tif 000004